(57)【要約】      （修正有）【課題】排尿バッグの床接触を防止する排尿バッグ支持構造を有する患者支持装置を提供する。【解決手段】患者支持装置１０は、ベースフレーム２０に対して昇降可能な上側フレーム２４を備える。マットレス支持デッキ２８、３０，３２、３４はフットデッキ部３４を有し、上側フレームに連結される。フットデッキ部は、マットレス支持デッキの残りの部分に対して昇降可動に動作する。排尿バッグ支持体９２は、フットデッキ部に連結されて、排尿バッグを支持するように構成されている。制御回路は、上側フレームおよびフットデッキ部の動きを制御する。制御回路は、ロックアウトモードにて上側フレームおよびフットデッキ部の変位を制限することによって、排尿バッグが床に接触するのを防ぐ。【選択図】図１
2018108356.tif 000002
【特許請求の範囲】
【請求項１】
第１の部分と第２の部分とを有するフレームであって、前記第１の部分が前記第２の部分に対して昇降可能なフレームと、
前記フレームの前記第１の部分に連結されて、該第一の部分とともに変位する排尿バッグ支持体と、
前記フレームの前記第１の部分の動きを制御する制御回路であって、排尿バッグが前記排尿バッグ支持体に取り付けられている場合に、前記第１の部分が変位して前記排尿バッグが望ましくない位置に配置されないように、前記フレームの前記第１の部分の前記第２の部分に対する変位を防止するロックアウトモードを有する、制御回路と、
を含む、患者支持装置。
【請求項２】
前記フレームが、フットデッキ部を有するマットレス支持デッキを含み、前記フットデッキ部が、前記フレームの前記第１の部分を含む、請求項１に記載の患者支持装置。
【請求項３】
前記制御回路は、前記ロックアウトモードで動作中、前記フットデッキ部が前記フレームの前記第２の部分に対して所定の角度を超える角度に位置した場合に、前記フットデッキ部の下降を防ぐ、請求項２に記載の患者支持装置。
【請求項４】
前記制御回路は、前記ロックアウトモードで動作中、前記フットデッキ部が前記所定の角度未満の角度に位置した場合には、前記フットデッキ部の下降を可能にし、前記所定の角度と合致する角度である場合には、前記フットデッキ部の下降を防ぐ、請求項３に記載の患者支持装置。
【請求項５】
前記フットデッキ部が、第１のフットデッキ部分と、前記第１のフットデッキ部分に対して伸縮可能な第２のフットデッキ部分とを備え、前記排尿バッグ支持体が前記第２のフットデッキ部分に連結される、請求項２に記載の患者支持装置。
【請求項６】
前記フレームが上側フレームとベースフレームとを含み、前記上側フレームが前記フレームの前記第１の部分を含み、前記ベースフレームが前記フレームの前記第２の部分を含む、請求項１に記載の患者支持装置。
【請求項７】
前記制御回路は、ロックアウトモードで動作中、前記ベースフレームに対する前記上側フレームの上昇を可能にし、且つ前記ベースフレームに対する前記上側フレームの下降を防ぐ、請求項６に記載の患者支持装置。
【請求項８】
前記制御回路に電気的に接続し、前記制御回路がロックアウトモードで動作しているかどうかを示すインジケータを表示するインターフェイスをさらに含む、請求項１に記載の患者支持装置。
【請求項９】
前記制御回路がロックアウトモードで動作しているときに、ユーザーが前記制御回路を操作して前記フレームの前記第１の部分を下降させようとすると、前記インターフェイスは、前記フレームの前記第１の部分の動きがロックされているという警告をさらに表示する、請求項８に記載の患者支持装置。
【請求項１０】
前記制御回路がロックアウトモードで動作していないときに、ユーザーが前記制御回路を操作して前記フレームの前記第１の部分を下降させようとすると、前記インターフェイスは、前記フレームの前記第１の部分の動きに起因して前記排尿バッグが前記望ましくない位置に変位するおそれがあるという警告をさらに表示する、請求項８に記載の患者支持装置。
【請求項１１】
前記排尿バッグが前記排尿バッグ支持体に取り付けられているかどうかを検知するセンサーをさらに備え、前記排尿バッグの前記排尿バッグ支持体への取付を当該センサーが検知すると、該検知に応答して前記制御回路が自動的に前記ロックアウトモードとなる、請求項１に記載の患者支持装置。
【請求項１２】
前記排尿バッグが前記排尿バッグ支持体に取り付けられているかどうかを検知するセンサーをさらに備え、前記排尿バッグの前記排尿バッグ支持体への取付を当該センサーが検知すると、該検知に応答して、前記制御回路が、ユーザーに対し、前記制御回路を前記ロックアウトモードにするよう指示する動作を行う、請求項１に記載の患者支持装置。
【請求項１３】
前記排尿バッグの前記望ましくない位置が、床に接触する前記排尿バッグを含む、請求項１に記載の患者支持装置。
【請求項１４】
ユーザーが順次操作してロックアウトモードのオン／オフ切替を行うユーザー入力部が可動部分に連結されている、請求項１に記載の患者支持装置。
【請求項１５】
ベースフレームと、前記ベースフレームより上方で支持されている上側フレームとを備えるフレームであって、前記上側フレームが前記ベースフレームに対して昇降可能なフレームと、
前記上側フレームに対して昇降可能なフットデッキ部を有し、前記上側フレームに連結されるマットレス支持デッキと、
前記フットデッキ部に連結され、排尿バッグを支持するよう構成された排尿バッグ支持体と、
前記上側フレームおよび前記フットデッキ部の動きを制御する制御回路であって、排尿バッグが前記排尿バッグ支持体に取り付けられている場合に、前記上側フレームおよびフットデッキ部が変位して前記排尿バッグが望ましくない位置に配置されないように、前記上側フレームの前記ベースフレームに対する動きと前記フットデッキ部の動きを制限するロックアウトモードを有する、制御回路と、を含む、患者支持装置
【請求項１６】
前記制御回路は、ロックアウトモードで動作中、前記フットデッキ部が前記上側フレームに対して１２度を超える角度に位置した場合に前記フットデッキ部の下降を防ぐ、請求項１５に記載の患者支持装置。
【請求項１７】
前記制御回路は、前記ロックアウトモードで動作中、前記ベースフレームに対する前記上側フレームの上昇を可能にし、且つ前記ベースフレームに対する前記上昇フレームの下降を防ぐ、請求項１５に記載の患者支持装置。
【請求項１８】
前記制御回路に電気的に接続し、前記制御回路が前記ロックアウトモードで動作しているかどうかを示すインジケータを表示するインターフェイスをさらに含む、請求項１５に記載の患者支持装置。
【請求項１９】
ユーザーが前記制御回路を操作して、前記ロックアウトモードで制限された方法で前記上側フレームまたは前記フットデッキ部を下降させようとすると、前記インターフェイスは、前記制御回路が前記ロックアウトモードで動作しているという警告をさらに表示する、請求項１８に記載の患者支持装置。
【請求項２０】
前記制御回路が前記ロックアウトモードで動作していないときに、ユーザーが前記制御回路を操作して前記上側フレームまたは前記フットデッキ部を下降させようとすると、前記インターフェイスは、前記上側フレームの動きまたは前記フットデッキ部の動きに起因して前記排尿バッグが前記望ましくない位置に変位するおそれがあるという警告をさらに表示する、請求項１８に記載の患者支持装置。
【請求項２１】
前記排尿バッグが前記排尿バッグ支持体に取り付けられているかどうかを検知するセンサーをさらに備え、前記排尿バッグの前記排尿バッグ支持体への取付を当該センサーが検知すると、該検知に応答して前記制御回路が自動的に前記ロックアウトモードとなる、請求項１５に記載の患者支持装置。
【請求項２２】
前記排尿バッグが前記排尿バッグ支持体に取り付けられているかどうかを検知するセンサーをさらに備え、前記排尿バッグの前記排尿バッグ支持体への取付を当該センサーが検知すると、該検知に応答して、前記制御回路が、ユーザーに対し、前記制御回路を前記ロックアウトモードにするよう指示する動作を行う、請求項１５に記載の患者支持装置。
【請求項２３】
前記排尿バッグの前記望ましくない位置が、床に接触する前記排尿バッグを含む、請求項１５に記載の患者支持装置。
【請求項２４】
ユーザーが順次操作して前記ロックアウトモードのオン／オフ切替を行うユーザー入力部が可動部分に連結されている、請求項１５に記載の患者支持装置。
【発明の詳細な説明】
【技術分野】
【０００１】
（関連出願の相互参照）
本出願は、２０１７年１月３日に出願された「ＰＡＴＩＥＮＴ  ＳＵＰＰＯＲＴ  ＡＰＰＡＲＡＴＵＳ  ＨＡＶＩＮＧ  ＵＲＩＮＡＲＹ  ＤＲＡＩＮＡＧＥ  ＢＡＧ  ＬＯＣＫＯＵＴ  ＦＥＡＴＵＲＥ」と題する米国仮特許出願第６２／４４１、７０６号の利益を主張するものであり、該出願の本文および図面は、その全体が参照により本願明細書に援用される。
【０００２】
本開示は、患者支持装置に関し、特に、排尿バッグを支持する構造を有する患者支持装置に関する。
【背景技術】
【０００３】
病院ベッドのような患者支持装置には、患者に挿入されたカテーテルから尿を受け取るための排尿バッグ（フォーリーバッグと称することもある）用の支持体を有するものがある。排尿バッグは、例えば、病院ベッドのフレームに取り付けることができる。病院ベッドは、排尿バッグを備えることに加えて、他のさまざまな特徴を備え、例えば、ベッドおよび／またはベッドの一部を制御して動かすことができる。病院ベッドによっては、患者がベッドから出ることを支援するためにベッドのフットエンドを下げたり、ベッドを逆トレンデレンブルグ位にしたり、または患者を着座姿勢にする機能を有するものもある。
【発明の概要】
【発明が解決しようとする課題】
【０００４】
しかしながら、ベッドのフットエンドを下げると、排尿バッグが床に接触する場合があり、結果として、排尿バッグが床上の汚染物質に曝露されることにもなりかねない。そのような汚染物質が原因で、患者がカテーテル関連尿路感染症（ＣＡＵＴＩ）を発症するおそれもある。汚染物質が排尿バッグの中に侵入してカテーテル部位を汚染することによって、ＣＡＵＴＩが発症することもある。あるいは、汚染物質が排尿バッグから、ヘルスケア提供者（すなわち、ヘルスケア提供者の手袋）に感染することもあり、ここのヘルスケア提供者が後で、カテーテルの挿入・取り外しを行ったり、維持管理を行ったりする。ＣＡＵＴＩは、主要なヘルスケア関連症のひとつであり、多大なコストがかかる病である。現行のＣＡＵＴＩプロトコルでは、排尿バッグの床接触防止が求められている。
【０００５】
本開示は、添付の特許請求の範囲に記載されている特徴、および／または単独もしくは任意の組み合わせにおいて特許可能な主題を含みうる下記の特徴のうちの１つ以上を含む。
【課題を解決するための手段】
【０００６】
本開示の第１の態様によれば、患者支持装置は、第１の部分と第２の部分とを有するフレームを具備する。第１の部分は第２の部分に対して相対的に昇降可能である。フレームの第１の部分には排尿バッグ支持体が取り付けられ、ともに変位する。フレームの第１の部分の動きを制御する制御回路も設けられている。制御回路は、排尿バッグが排尿バッグ支持体に取り付けられている場合に、フレームの第１の部分が変位して排尿バッグが望ましくない位置に配置されないように、フレームの第１の部分の第２の部分に対する動きを防ぐロックアウトモードを有する。
【０００７】
フレームは、フットデッキ部を有するマットレス支持デッキを備えてもよい。この場合、フレームの第１の部分はフットデッキ部に含まれる。制御回路はロックアウトモードで動作中、フットデッキ部がフレームの第２の部分に対して所定の角度を超える角度に位置した場合に、フットデッキ部が下降するのを防ぐことができる。あるいは、またはさらに、制御回路はロックアウトモードで動作中、フットデッキ部が所定の角度未満の角度に位置した場合には、フットデッキ部の下降を可能にし、所定の角度と合致する角度である場合には、フットデッキ部の下降を防ぐことができる。フットデッキ部が、第１のフットデッキ部分と、この第１のフットデッキ部分に対して伸縮可能な第２のフットデッキ部分とを備えてもいてもよい。第２のフットデッキ部分には、排尿バッグ支持体を連結することができる。
【０００８】
フレームは、上側フレームとベースフレームとを備えてもよい。その場合、上側フレームにフレームの第１の部分が含まれ、ベースフレームにフレームの第２の部分が含まれる。制御回路は、ロックアウトモードで動作中、上側フレームのベースフレームに対する上昇を可能にするとともに、ベースフレームに対する上側フレームの下降を防ぐよう構成されてもよい。
【０００９】
患者支持装置は、必要に応じて制御回路に電気的に接続したインターフェイスをさらに備えることができる。このインターフェイスには、制御回路がロックアウトモードで動作しているかどうかを示すインジケータを表示する。制御回路がロックアウトモードで動作しているときに、ユーザーが制御回路を操作してフレームの第１の部分を下降させようとすると、インターフェイスは、フレームの第１の部分の動きがロックされているという警告をさらに表示してもよい。あるいは、またはさらに、制御回路がロックアウトモードで動作していないときに、ユーザーが制御回路を操作してフレームの第１の部分を下降させようとすると、インターフェイスは、フレームの第１の部分の動きに起因して排尿バッグが望ましくない位置に変位するおそれがあるという警告をさらに表示してもよい。
【００１０】
患者支持装置は、排尿バッグが排尿バッグ支持体に取付られているかどうかを検知するセンサーをさらに備えてもよい。その場合、センサーが排尿バッグ支持体に排尿バッグが取り付けられていることを検知すると、それに応答して、制御回路が自動的にロックアウトモードとなる。あるいは、またはさらに、センサーが、排尿バッグ支持体に排尿バッグが取り付けられていることを検知すると、それに応答して、制御回路は、ユーザーに制御回路をロックアウトモードにするよう指示する動作をしてもよい。
【００１１】
排尿バッグの望ましくない位置には、床に接触する排尿バッグが含まれ得る。患者支持装置はユーザーが順次操作してロックアウトモードのオン／オフ切替を行うユーザー入力部が可動部に連結される形態であってもよい。
【００１２】
本開示の別の態様によると、患者支持装置は、ベースフレームと、このベースフレームより上方で支持されている上側フレームとを有するフレームを備える。上側フレームはベースフレームに対する昇降が可能である。上側フレームにはマットレス支持デッキが連結している。マットレス支持デッキは、上側フレームに対して昇降可能なフットデッキ部を有する。フットデッキ部には排尿バッグを支持する排尿バッグ支持体が連結する。患者支持装置は、上側フレームおよびフットデッキ部の動きを制御する制御回路も備える。制御回路は、排尿バッグが排尿バッグ支持体に取り付けられている場合に、上側フレームおよびフットデッキ部が変位して、排尿バッグが望ましくない位置に配置されないように、上側フレームのベースフレームに対する動きとフットデッキ部の動きを制限するロックアウトモードを有する。
【００１３】
制御回路はロックアウトモードで動作中、フットデッキ部が上側フレームに対して１２度を超える角度に位置した場合にフットデッキ部の下降を防ぐよう構成されてもよい。あるいは、またはさらに、制御回路はロックアウトモードで動作中、上側フレームのベースフレームに対する上昇を可能にし、ベースフレームに対する下降を防ぐよう構成されてもよい。
【００１４】
患者支持装置は、制御回路に電気的に接続するインターフェイスをさらに備えてもよい。このインターフェイスは、制御回路がロックアウトモードで動作しているかどうかを示すインジケータを表示する。ユーザーが制御回路を操作して、ロックアウトモードで制限する方法で上側フレームまたはフットデッキ部を下降させようとすると、インターフェイスは、制御回路がロックアウトモードで動作しているという警告をさらに表示してもよい。あるいは、またはさらに、制御回路がロックアウトモードで動作していないときに、ユーザーが制御回路を操作して上側フレームまたはフットデッキ部を下降させようとすると、インターフェイスは、上側フレームの動きまたはフットデッキ部の動きに起因して排尿バッグが望ましくない位置に変位するおそれがあるという警告を表示してもよい。
【００１５】
患者支持装置は、必要に応じてさらに、排尿バッグが排尿バッグ支持体に取り付けられているかどうかを検知するセンサーを備え得る。その場合、センサーが排尿バッグ支持体に排尿バッグが取り付けられていることが検知すると、それに応答して、制御回路が自動的にロックアウトモードになる。あるいは、またはさらに、センサーが、排尿バッグ支持体に排尿バッグが取り付けられていることを検知すると、それに応答して、制御回路は、ユーザーに制御回路をロックアウトモードにするように指示する動作をしてもよい。
【００１６】
本開示の第１の態様と同様に第２の態様においても、排尿バッグの望ましくない位置には、床に接触している排尿バッグが含まれ得る。また、本開示の第２の態様では、ユーザーが順次操作してロックアウトモードのオン／オフ切替を行うユーザー入力部を可動部分に連結してもよい。
【００１７】
本開示に係るさらに別の態様によると、患者支持装置の制御方法は、排尿バッグが患者支持装置のフレームの可動部分に連結しているかどうかを判定する工程と、患者支持装置の制御回路をロックアウトモードにする工程と、制御回路がロックアウトモード状態で排尿バッグの床への接触を防止している場合は、フレームの可動部分の下降を防ぐ工程と、を含む。
【００１８】
本方法は可動部分がフレームの第２の部分に対して所定の角度を超える角度に位置した場合に、フレームの可動部分の変位を防ぐ工程をさらに含み得る。本方法には、ユーザーが制御回路への入力を行って可動部分を下降させようとすると、可動部分の動きがロックされているという警告を表示する工程を、さらに含み得る。必要に応じて、可動部分に排尿バッグが取り付けられているかどうかをセンサーで検知する工程もさらに含み得る。
【００１９】
ロックアウトモードはグラフィカルユーザーインターフェイスを介して制御してもよい。このインターフェイスは、介護者を、ロックアウトモードをアクティブ化および非アクティブ化するための操作パネルとともにロックアウトモードの説明を提供する設定メニューに誘導することができる。さらに、ロックアウトモードがオフの場合には排尿バッグが床に接触するおそれがあるという警告を介護者に表示してもよい。また、ロックアウトモードがオンになっているときに支持装置の特定の関節連接を可能にする機能を備えてもよい。そのような関節連接は、支持装置の動作中に排尿バッグが床に接触するのを禁ずるように制御される。ロックアウトモードをアクティブまたは非アクティブにするボタンを、排尿バッグ支持体に隣接して設けてもよい。排尿バッグ支持体に取り付けたセンサーが、排尿バッグを検知してロックアウトモードをアクティブにするような構成であってもよい。
【００２０】
単独、または上記の特徴および／または特許請求の範囲に記載されている特徴などの他の特徴と組み合わせられるその他の特徴は、特許可能な主題を含み得る。また、現在認識されている実施形態を実施する最良の形態を例示す種々の実施形態についての下記の詳細な説明を考慮すれば、当業者には、そうしたその他の特徴が明らかになるであろう。
【図面の簡単な説明】
【００２１】
詳細な説明では、特に、以下の添付の図面を参照する。
【図１】病院ベッドとして例証的に具体化された患者支持装置の斜視図であって、点線枠Ａに示すようにベッドのフットエンドに隣接して排尿支持体またはホルダーを有するベッドを示す図である。
【図２】排尿バッグ支持体が連結されているフットデッキ部が実質的に水平であるときに第１の姿勢をとる、図１の枠Ａ部を拡大して示す排尿バッグ支持体の側面図である。
【図３】フットデッキ部を降下させたときに第２の姿勢をとる、図１の枠Ａ部を拡大してします排尿バッグ支持体の側面図である。
【図４】病院ベッドの上側フレームに連結されている排尿バッグ支持体またはホルダーの別の実施形態の斜視図である。
【図５】図４の排尿バッグ支持体の分解図である。
【図６】図１に示す病院ベッドの、ナースコールステーションまたはコンピュータと通信する電気回路を示すブロック図である。
【図７】排尿バッグ用ロックアウトモードをはじめとするさまざまなベッド機能を制御するグラフィカルユーザーインターフェイスを装備した、患者支持装置サイドレールの側面図である。
【図８】画面の右下隅に［設定／初期設定］ボタンを有するグラフィカルユーザーインターフェイスのホーム画面のスクリーンショットである。
【図９】画面の左手側に［フォーリーロック］ボタンを有するグラフィカルユーザーインターフェイスの設定／初期設定画面のスクリーンショットである。
【図１０】［フォーリーロック］画面を示すグラフィカルユーザーインターフェイスのスクリーンショットであって、［切］ボタンの強調表示が、［承諾］ボタンを選択して排尿バッグ用ロックアウトモードを非アクティブにすることを指示している図である。
【図１１】グラフィカルユーザーインターフェイスの［フォーリーロック］画面の別のスクリーンショットであって、［入］ボタンの強調表示が、［承諾］ボタンを選択して排尿バッグ用ロックアウトモードをアクティブにすることを指示している以外は図１０と同様の図である。
【図１２】グラフィカルユーザーインターフェイスの［フォーリーロック］画面のさらに別のスクリーンョットであって、ベッドフレームの一部分が下降したことに応答してグラフィカルユーザーインターフェイス上に現れた警告メッセージと、［切］ボタンをハイライト表示して、排尿バッグ用ロックアウトモードが非アクティブであることを示している、図１０および１１と同様の図である。
【図１３】排尿バッグ用ロックアウトモードをアクティブにするには事前にベッドのフットデッキ部を上げる必要があることを示すグラフィカルユーザーインターフェイスの警告画面のスクリーンショットである。
【図１４】排尿バッグ用ロックアウトモードをアクティブにするには事前にベッドの上側フレームを水平にする必要があることを示すグラフィカルユーザーインターフェイスの別の警告画面のスクリーンショットである。
【図１５】排尿バッグ用ロックアウトモードがアクティブの状態で、動きがロックされているベッドの一部分をユーザーが動かそうとしたときに表示される、グラフィカルユーザーインターフェイスのさらに別の警告画面のスクリーンショットである。
【図１６】フォーリーロックがアクティブになっていないことを示す、グラフィカルユーザーインターフェイスの別の警告画面のスクリーンショットである。
【図１７】図１の患者支持装置のフットエンドの斜視図であって、排尿バッグを排尿バッグ支持体に取り付ける際に、ユーザーにロックアウトモードをアクティブにすることを想起させるために、点線楕円部Ｂに示すように、排尿バッグ支持体に隣接して設けられた警告ラベルを示す図である。
【図１８】図１７の楕円部Ｂを拡大した警告ラベルの側面図である。
【図１９】ロックアウトモードがアクティブの場合に患者支持装置の特定のフレームの動きを禁止するロックアウトモードを有する、図１および図４に示すような患者支持装置を操作する方法のフローチャートである。
【発明を実施するための形態】
【００２２】
図１は、本開示の患者支持装置を病院ベッド１０に適用した例を示す。本開示は、病院ベッドについて記載するが、フォーリーバッグと呼ばれることもある排尿バッグを組み込んだ任意の支持装置に適用し得ることは理解されよう。以下の説明では、病院ベッド１０上に仰臥位で支持されている患者の姿勢を基本に、病院ベッド１０について論ずる。そのため、病院ベッド１０のフットエンド１２とは、病院ベッド１０上に支持された患者が仰臥位にあるときに、患者の足に最も近い端を指す。病院ベッド１０は、フットエンド１２とは反対側にヘッドエンド１４を有する。左側１６とは、病院ベッド１０に横たわっている患者が仰臥位にあるときに、患者の左側を意味する。右側１８とは、患者の右側である。病院ベッド１０の縦方向の長さについて言及する場合、病院ベッド１０のヘッドエンド１４とフットエンド１２との間に概ね伸長する線で表される方向を指す。同様に、病院ベッド１０の横幅とは、ベッド１０の左側１６と右側１８との間に概ね伸長する線で表される方向を指す。
【００２３】
病院ベッド１０は、昇降装置２２を支持するベースフレーム
２０を備える。昇降装置２２は、ベースフレーム２０より上方にある上側フレーム２４を支持する。リフトシステム２２を操作することによって、上側フレーム２４をベースフレーム２０に対して昇降および傾斜させることができる。昇降装置２２は、ヘッドエンド連結部２７とフットエンド連結部２９とを備える。連結部２７、２９はそれぞれ独立に操作可能であり、これらの連結部を操作することによって、病院ベッド１０を傾斜位（例えば、上側フレーム２４のヘッドエンド１４が上側フレーム２４のフットエンド１２より下方に位置するトレンデレンブルグ位）に変位することができる。同様に、病院ベッド１０を逆傾斜位（例えば、上側フレーム２４のフットエンド１２が上側フレーム２４のヘッドエンド１４より下方に位置する逆トレンデレンブルグ位）に変えることもできる。
【００２４】
上側フレーム２４は、載荷フレーム２６を備える。載荷フレーム２６は、載荷フレーム２６に対して可動なヘッドデッキ部２８を支持する。同様に載荷フレーム２６に対して相対的に移動可能な連結式大腿デッキ部
３０と、固定シートデッキ部３２も支持する。また、大腿デッキ部３０に対して可動な連結式のフットデッキ部３４も、載荷フレーム２６で支持されている。以下、さらに詳述するように、ベッド１０は、電気モーターと、伸縮可能な出力シャフトとを有する線形アクチュエータなどのアクチュエータを備える。アクチュエータを操作することによって、デッキ部２８、３０、
３４を上側フレーム２４に対して回転可能に昇降させることができる。ベッド１０のマットレス支持デッキは、デッキ部２８、３０、３２、
３４により形成される。デッキ部２８、３０、３２、３４に支持されるマットレスは、図１では省略されているが、図６に表面１３１として線図で示している。
【００２５】
フットデッキ部３４が、大腿デッキ部３０に関節連接された第１の部分３６と、この第１の部分３６に対して伸縮してフットデッキ部３４の縦方向の長さを変える第２の部分３８とを有する実施形態であってもよい。このように、第２の部分３８は、第１の部分３６に対して相対的に略縦方向に移動して足デッキ３４の縦方向の長さを変えることのよって病院ベッド１０の縦方向の長さを変える。ベッド１０が、モーターまたはアクチュエータを有し、このモーターまたはアクチュエータを操作することによって、第２の部分３８を第１の部分に対して移動することができるような実施形態であってもよい。あるいは、第２の部分３８を第１の部分３６に対して手動で移動してもよい。さらに別の実施形態では、フットデッキ部３４を固定長として、第１の部分３６に対して伸縮可能な第２の部分３８を設けなくてもよい。
【００２６】
図に示す実施形態において、ベッド１０は、フットデッキ部
３４の第２の部分３８のフットエンド１２に対し取り外し可能に連結されているフットボード４０を有する。フットボード４０は、第２の部分３８の上側面４２を基準にして上方向に伸長して、病院ベッド１０のフットエンド
１２にバリアを形成する。ベースフレーム２０の直立構造体４６にはヘッドボード４４が取り外し可能に連結され、上方向に伸長して病院ベッド１０のヘッドエンド１４にバリアを形成している。左頭部サイドレール４８は、ヘッドデッキ部２８に連結され、上昇位置と下降位置との間を移動できるようになっている。同様に、右頭部サイドレール５０も、ヘッドデッキ部に連結され、上昇位置と下降位置との間を移動できるようになっている。上昇位置では、それぞれのサイドレール４８、５０が、ヘッドデッキ部２８の上面５２の上方に延在する。下降位置では、それぞれのサイドレール４８、５０の上縁部５６が、上面５２の下方に位置する。
【００２７】
病院ベッド１０はまた、左脚サイドレール５８と右脚サイドレール６０とを備え、それぞれ、載荷フレーム２６から直接支持されている。サイドレール４８、５０、５８および６０の各々は、上面５２より下方に下降させることができる。なお、頭部デッキ２８を変位させると、頭部サイドレール４８および５０も頭部デッキ２８とともに変位するため、これらの患者に対する相対的な位置は変わらない。これは、頭部サイドレール４８および５０が両方とも、頭部デッキ２８で支持されるからである。
【００２８】
左頭部サイドレール４８には、図７に示すような制御パネル
６４およびグラフィカルユーザーインターフェイス６６を含むユーザーインターフェイス６２が設けられている。以下にユーザーインターフェイス
６２についてさらに詳述するが、制御パネル６４が、病院ベッド１０の特定の機能の状態をユーザーに表示するだけでなく、ハードボタンやメンブレンスイッチなどの固定入力デバイスも備えていることは言うまでもない。グラフィカルユーザーインターフェイス６６は、タッチスクリーンディスプレイを備え、ユーザーに情報を表示するとともに、アイコンまたはグラフィカルボタンなどのソフト入力を使用して、病院ベッド１０の特定機能をメニュー形式で柔軟に操作することを可能にしている。また、右頭部サイドレール
５０には、制御パネル７０を備えるユーザーインターフェイス６８が装備されている。必要に応じて、右頭部サイドレール５０にグラフィカルユーザーインターフェイス６６と同一の第２のグラフィカルユーザーインターフェイスを設ける実施形態も可能である。
【００２９】
病院ベッド１０は、必要に応じて、患者が病院ベッド１０の特定機能を制御する際に使用する患者ペンダントをさらに備えていてもよい図に示す実施形態では、必要に応じてインジケータパネル７４が設けられ、これを介して、付加情報が介護者に提供される。インジケータパネル７４は、病院ベッド１０のさまざまな状態を、病院ベッド１０のフットエンド１２にグラフィカルに表示する。インジケータパネル７４は、介護者がベッドの状態を、廊下や患者の部屋のドアなど、遠くからから即座に確認できるような位置に設けられる。ベッドの状態はさらに、病院ベッド１０からフットエンド１２の下の床に投影することによって、介護者がいっそう判別しやすい大きな画像を床に表示してもよい。同様に、図示した実施形態の左頭部サイドレール４８には、照明付きグリップ７６が設けられている。照明付きグリップ７６は、異なる色が選択的に点灯することによって、病院ベッド１０の１つ以上の機能の状態を介護者に表示する。同様に、右頭部サイドレール５０も照明付きグリップ７６と同一の照明付きグリップ７８を備える。
【００３０】
病院ベッド１０は患者補助器８０を備える。この患者補助器は、ベースフレーム２０に取り外し可能に連結されている。患者補助器８０は、ベースフレーム２０に固定した湾曲アーム８２と、湾曲アーム８２から伸長する支持アーム８４とを備える。支持アーム８４は、支持アーム８４に固定するクランプ８６が回転しないように、六角形断面を有するように形成されている。クランプ８６にはるチェーン８８が下方向に掛けられている。チェーン８８は、病院ベッド１０上で仰臥位の患者が患者補助器８０を使用して体位を変えることができるように、患者が把持可能なグリップ９０を支持している。
【００３１】
また、図示した病院ベッド１０は、ベースフレーム２０のフットエンド１２に設けられた予備コンセント１１０を備える。予備コンセント１１０は、病院ベッド１０の電気系統から独立した回路を提供し、例えば、病院ベッド１０のフットエンド１２に設けられる付属機器に電力を供給するのに使用することができる。
【００３２】
図１〜図３に示すように、ベッド１０は、フットエンド１２に隣接したフットデッキ部３４の側面に連結されている排尿バッグ支持体（またはホルダー）９２を備える。図１〜図３に示す排尿バッグ支持体９２は、ベッド１０の左側１６に位置するが、フットデッキ部３４のベッド１０右側に、別の排尿バッグ支持体９２が連結される実施形態であってもよいことは理解できよう。図示した実施形態では、排尿バッグ支持体９２は、フットデッキ部３４の第２の部分３８に連結されている。図２および図３示すように、排尿バッグ９４が、排尿バッグ支持体９２に対し取り外し可能に取り付けられている。患者の尿道カテーテルが排尿バッグ９４に通じ、排尿バッグ９４が患者の尿採取容器の役目を果たす。
【００３３】
図示した実施形態では、排尿バッグ支持体９２は、ワイヤー形構造体であり、第１および第２の直立バー９５、９７と、第１の横木９６と、第２の横木９８とを備える。直立バー９５、９７の下端は、フットデッキ部３４の底部より下方に伸長する伸長部を有する。これらの伸長部は、ネジ、ボルト、鋲などのような締結具を用いてフットデッキ部３４の下面に取り付けられるように構成されている。直立バーの上端９５、９７には、横木９６が連結されている。直立バー９５は直立バー９７より長く、フットデッキ部３４が図２に示すように略水平になった場合に、横木９６が、フットデッキ部３４の上面に対して傾斜した状態となるようになっている。横木９８は略Ｌ形状であり、横木９６より下方に設けられている。横木９８の一端は横木９６に連結し、他端は直立バー９５に連結している。
【００３４】
図２に示すように、フットデッキ部３４が略水平姿勢をとる場合は、図示した排尿バッグ９４の第１および第２の連結器９１、９３（フックまたはストラップなど）は、典型的には、各々の横木９６、９８に取り付けられる。図３に示すように、フットデッキ部３４のフットエンド１２が下がっている場合は、必要に応じて、排尿バッグ９４のホルダー９２への取り付け方を変えて、連結器９１、９３の両方を第１の横木９６に取り付けられるようにすることができる。横木９６がフットデッキ部３４の上面に対する傾斜角は、上側フレーム２４が実質的に水平であるときに、フットデッキ部３４を上側フレーム２４に対して完全に下降させると横木９６が略水平になるような角度である。
【００３５】
図２および図３に示すように、一部の実施形態では、排尿バッグ支持体９２に隣接したフットデッキ部の側部に、ボタン１０６が設けてある。このような実施形態では、介護者がボタン１０６を押して、後で詳述するように、排尿バッグ９４が排尿バッグ支持体９２に取り付けられていることをベッド１０の制御回路１４０に示すことができる。ボタン１０６を押すと、回路１４０がロックアウトモードになり、ベッド１０の特定部分の動きが制限されるか、または完全に妨げられる。例えば、ロックアウトモードがアクティブになっているときに、上側フレーム２４がベースフレーム２０に対して下降しないようにロックアウトされる実施形態であってもよいし、あるいはまたは加えて、回路１４０がロックアウトモードになっているときは、フットデッキ部３４が下降しないようにロックアウトしてもよい。回路１４０がロックアウトモードになっているときに、上側フレーム２４および／またはフットデッキ部３４の降下量を制限する位置閾値あるいは制限値を設けるような実施形態であってもよい。したがって、このような実施形態では、上側フレーム２４および／またはフットデッキ部３４を位置閾値または制限値に達するまで降下させることができる。
【００３６】
排尿バッグ９４を排尿バッグ支持体９２から取り出す際には、再びボタン１０６を押して回路１４０のロックアウトモードを非アクティブにする（すなわち、オフに切り替える）ことができる。したがって、ボタン１０６を押すごとに、回路１４０のロックアウトモードのアクティブ化（すなわち、オンへの切り替え）、および非アクティブ化（すなわち、オフへの切り替え）が行われる。図示した実施形態では、回路１４０のロックアウトモードがアクティブか非アクティブかを指示するライト１０８、または他の適切なインジケータが設けられる。例えば、排尿バッグ９４が排尿バッグ支持体９２上に位置している場合に、ボタン１０６を押すと、ライト１０８が点灯し、制御回路１４０が、排尿バッグ９４が存在するという通知を受け、ロックアウトモードになったことが表示される。排尿バッグ９４を排尿バッグ支持体９２から取り外したときには、再びボタン１０６を押して、ライト１０８を消してロックアウトモードが非アクティブになったことを表示させることもできる。
【００３７】
図４〜図５を参照すると、排尿バッグ支持体１００が、ベッド
１０の上側フレーム２４に連結されている。排尿バッグ支持体１００は、センサー１０４と連携するバーまたは横木１０２を具備する。排尿バッグ９４が横木１０２上に掛けられると、センサーは排尿バッグ９４が存在することを検知する。排尿バッグ支持体１００およびセンサー１０４は、２０１５年３月６日に出願された「Ｃａｒｅｇｉｖｅｒ  Ｕｎｉｖｅｒｓａｌ  Ｒｅｍｏｔｅ
Ｃａｒｔ  Ｆｏｒ  Ｐａｔｉｅｎｔ  Ｂｅｄ  Ｃｏｎｔｒｏｌ」と題する米国特許第９，４６３，１２６号の、図１５０および１５１に関して詳細に記載されており、その内容は参照により本明細書に援用される。センサー１０４として、力センサー、近接センサー、圧電センサーなど、横木１０２の動きおよび／または横木１０２上に排尿バッグ９４が存在していることを検知する適当なセンサーを用いる実施形態が可能である。なお、図４〜図５の実施形態には、図２〜図３に図示されているライト１０８を具備させることも可能である。
【００３８】
図６に線図で示すように、ベッド１０は、ヘッドデッキ部２８に連結されるヘッドモーターまたはアクチュエータ１２０、連結式大腿デッキ部３０に連結される大腿モーターまたはアクチュエータ１２２、フットデッキ部３４に連結されるフットモーターまたはアクチュエータ１２４、およびフットデッキ部３４の第２の部分３８に連結されフット伸縮モーターまたはアクチュエータ１２６を備える。モーター１２０、１２２、１２４、１２６は、例えば、線形アクチュエータの電動モーターを備えることができる。ヘッドモーター１２０は、ヘッドデッキ部２８を昇降させることができる。大腿モーター１２２は、大腿デッキ部３０を固定シートデッキ部３２に対して関節運動させることができる。フットモーター１２４は、フットデッキ部３４を大腿デッキ部３０に対して昇降させることができる。フット伸縮モーター１２６は、フットデッキ部３４の第２の部分３８をフットデッキ部３４の第１の部分３６に対して伸縮させることができる。ベッド１０にフットデッキ伸縮モーター１２６を設けない実施形態も可能である。そのような実施形態では、フットデッキ部３４の第２の部分３８を、フットデッキ部３４の第１の部分３６に対して手動で伸縮させてもよい。あるいは、フットデッキ部３４に、第１の部分３６に対して可動の第２の部分３８を設けず、フットデッキ部が伸縮しないような形態であってもよい。
【００３９】
図示したベッド１０は、ヘッドデッキ部２８に連結して上側フレーム２４に対するヘッドデッキ部２８の角度を監視するヘッド部角度センサー１５５も具備する。また、フットデッキ部３４に連結して上側フレーム２４に対するフットデッキ部３４の角度を監視するフット部角度センサー１５７も具備する。後で詳述するように、フット部角度センサー１５７が、フットデッキ部３４が前記所定の角度未満にあるかどうかを判定するような実施形態であってもよい。角度センサー１５５、１５７の一方または両方は、速度計や傾斜計などの重力ベースのセンサーであってもよい。あるいは、角度センサー１５５、１５７の一方または両方が、線形アクチュエータに含まれていてもよく、角度センサー１５５の場合は、ヘッドモーター１２０に関連付けられる線形アクチュエータに、角度センサー１５７の場合はフットモーター１２４に関連付けられる線形アクチュエータに含まれる。このような実施形態では、角度センサー１５５、１５７は、例えば、ロータリーエンコーダー、ホール効果センサー、ロータリーポテンショメータなどを備えていてもよい。
【００４０】
ベッド１０が、マットレスすなわち表面１３１のさまざまな空気袋あるいは空気セルの膨張および収縮を制御する空気圧システム１３０を備える実施形態も可能である。図６では、空気圧システム１３０が単一のブロックとして表されているが、ブロック１３０は、マットレスの空気袋を膨張および収縮させるための空気圧システムに一般的に含まれる、１つ以上の空気供給源（例えば、ファン、送風機、コンプレッサー）および付随するバルブ、マニホールド、通気道、空気管、圧力センサーなどのほか、付随する電気回路を表している。マットレス１３１上の患者の体重を監視する計量装置１５３を設けてもよい。
【００４１】
ベッド１０の昇降装置は、１つ以上の昇降装置用モーターまたはアクチュエータ１３４を備える。いくつかの実施形態では、この昇降装置用モーターまたはアクチュエータが、電動モーター付きの線形アクチュエータを備えていてもよい。したがって、本明細書ではアクチュエータ１３４をモーター１３４と称することもある。本開示によって想到される代替のアクチュエータまたはモーターは、例えば、油圧シリンダーと空気圧シリンダーとを備える。昇降装置のモーター１３４は、上側フレーム２４をベースフレーム２０に対して昇降および傾斜させることができる。図示した実施形態において、モーター１３４の一方はヘッドエンド連結部２７に連結され、このヘッドエンド連結部に作用し、他方のモーター１３４はフットエンド連結部２９に連結され、このフットエンド連結部に作用することで、ベースフレーム２０に対する上側フレーム２４の上昇、下降および傾斜機能が遂行される。実施形態によっては、モーター１３４が、ベースフレーム２０、水平方向、または垂直方向に対する上側フレーム２４の上昇量や傾斜量を測定するセンサーを具備してもよい。
【００４２】
図６に線図で示すように、ベッド１０は、モーター１２０、１２２、１２４、１２６、および昇降装置のモーター１３４に電気的に接続した制御回路１４０を備える。図６には、制御回路１４０が単一のブロック１４０として線図で表されているが、電気的にかつ通信可能に相互接続されたさまざまな回路基板やエレクトロニクスモジュールなどを含む制御回路１４０としてもよい。制御回路１４０は、本明細書中に記載されているさまざまな制御機能およびアルゴリズムを実行するソフトウェアを実行する１つ以上のマイクロプロセッサ１４２またはマイクロコントローラを備える。したがって、当該技術分野において周知であるように、回路１４０はまた、ソフトウェア、変数、計算値などを格納するメモリー１４４を備える。
【００４３】
また、図６に線図で示すように、ユーザー入力部ブロック１５１は、制御パネル６６のボタンなどのさまざまなユーザー入力部を表す。図７の示す実施形態においては、この入力部ブロックには、メンブレンスイッチを有するメンブレンスイッチアセンブリ１５０が含まれる。介護者または患者はこのメンブランスイッチを使用して、入力信号をベッド１０の制御回路１４０に伝達することによって、ベッド１０のさまざまなモーター１２０、１２２、１２４、１２６、１３４を動作させるほか、ベッド１０の他の機能を実行する。図１および図７に示すように、ベッド１０は、サイドレール４８に連結されている少なくとも１つのグラフィカルユーザー入力部またはディスプレイ画面６６を備える。図６に線図で示すように、ディスプレイ画面６６は、制御回路１４０に接続されている。２つのグラフィカルユーザーインターフェイス６６が装備され、それぞれサイドレール４８、５０に接続される実施形態であってもよい。あるいはまたは加えて、１つ以上のグラフィカルユーザーインターフェイスを、サイドレール４８、５０、ならびに／あるいは、ヘッドボード４４およびフットボード４０の少なくとも一方に接続してもよい。制御回路１４０は、グラフィカルディスプレイ画面６６からユーザー入力コマンドを受け取る。実施形態によっては、センサー１０４および／またはボタン１０６から信号を受信してもよい。
【００４４】
本開示によれば、ベッド１０の制御回路１４０は図６に線図で示すように、ベッド１０が配置されているヘルスケア施設のイーサネット（登録商標）などの通信インフラ１７８、および通信リンク１７７、１７９を介して、リモートコンピュータデバイス１７６と通信することが可能である。本明細書において、コンピュータデバイス１７６は、単に「コンピュータ」と称することもある。リモートコンピュータ１７６は、ナースステーションを含んでもよく、あるいは本開示のナースコールシステムの一部であってもよい。リモートコンピュータ１７６が、電子医療記録（ＥＭＲ）システムの一部となっている実施形態も可能である。また、実施形態によっては、ベッド１０の回路１４０が、医師オーダリングシステムや入院／退院／移送（ＡＤＴ）システムなど、ヘルスケア施設内で使用されるなんらかのシステムに含まれる他のコンピュータと通信することは、本開示の範囲内である。図６のイーサネット（登録商標）１７８は概略的に図示したものであり、ヘルスケア施設のネットワークを含むすべてのハードウェアおよびソフトウェアを表している。
【００４５】
図示した実施形態では、ベッド１０は、通信インターフェイスまたはポート１８０を有し、リンク１７７を介して通信インフラ１７８と双方向通信を行い、さらに、通信インフラ１７８が、リンク１７９を介してコンピュータ１７６と双方向通信を行う。通信リンク１７９は有線リンクであってもよく、無線リンクであってもよい。したがって、実施形態によっては、通信リンク１７９が、ベッド１０をベッドインターフェイスユニット（ＢＩＵ）またはネットワークインターフェイスユニット（ＮＩＵ）に含まれる壁取付けジャックに接続するケーブルを含んでいてもよい。ＢＩＵおよびＮＩＵは米国特許第７，５３８，６５９号および同第７，３１９，３８６号、ならびに米国特許出願公開第２００９／０２１７０８０（Ａ１）号、同第２００９／０２１２９２５（Ａ１）号および同第２００９／０２１２９２６（Ａ１）号に図示および記載されているようなものであり、これらの特許文献は参照により本明細書に明確に援用される。あるいは、通信リンク１７９は、ベッド１０と米国特許出願公開第２００７／０２１０９１７（Ａ１）号において図示および記載されているような無線インターフェイスユニットとの間に送信される無線信号を含んでもよく、該特許文献は参照により本明細書に明確に援用される。本開示によれば、通信リンク１７７は、１つ以上の有線リンクおよび／または無線リンクも含む。
【００４６】
図７を参照すると、一実施形態において、制御パネル６４は、介護者が病院ベッド１０のいくつかの標準機能にアクセスするのに使用する、メンブレンスイッチアセンブリ１５０とグラフィカルユーザーインターフェイス６６を装備する。インターフェイス６６は、介護者に情報を提供し、介護者が病院ベッド１０の機能をアクティブにするためのソフトキーとして働くいくつかのアイコンを有するものとして示されている。グラフィカルユーザーインターフェイス６６の上位メニュー構成を図８に示す。介護者または患者は［ベッド動作］ソフトキー２３０を使用して、患者支持装置の動作を制御することができる。通常の操作条件下では、グラフィカルユーザーインターフェイス６６には、例えば５分間でタイムアウトになってスリープ画面に置き換わるようなホーム画面が表示される。
【００４７】
ユーザーは、必要に応じて［ホーム画面］ソフトキー２３２を使用してホーム画面に戻すことができる。メニュー式操作パネルは［表面制御］ソフトキー２３４を具備する。このソフトキーを使用することで、ユーザーは患者支持装置１０上に置かれたマットレス１３１のコントロールと対話することができる。［アラート］ソフトキー２３６は、ユーザーをベッド１０の患者位置監視機能や離椅子（chair exiting）機能に接続する。［計量］ソフトキー２３８は、介護者が、新規の患者用に病院ベッド１０の計量目盛りをゼロにするなどのゼロ調整に使用する計量装置１５３の操作にアクセスするためのキーである。［計量］ソフトキー２３８を使用して、ユーザーが［体重測定］メニュー構成にアクセスすることもできる。［設定］ソフトキー２４０は、介護者が図９に示す設定メニューから患者支持装置１０の設定変更を行う際に使用する。
【００４８】
メンブレンスイッチアセンブリ１５０および／またはインターフェイス６６の［ベッド動作］ソフトキー２３０は、ユーザーが患者支持装置１０またはその一部分（例えば、フットデッキ部３４や上側フレーム２４など）を降下させる際に使用するものであってもよい。実施形態によっては、フットデッキ部３４は、患者支持装置のフットエンド１２が下がるような角度で降下してもよい。患者支持装置１０またはその一部分を降下させて、患者を着座姿勢にし、かつ／あるいは患者が患者支持装置１０のフットエンド１２から退去できるような実施形態であってもよい。排尿バッグ９４は、患者支持装置１０のフットエンド１２付近の排尿バッグホルダー９０に取り付けられているとき、床に接触してしまうような望ましくない位置に移動して、例えば、汚染されたり、患者がカテーテル関連尿路感染症（ＣＡＵＴＩ）に罹患するおそれが生じたりする。制御回路１４０によって、フォーリーロックモードすなわちロックアウトモードをアクティブにして、完全におよび／または所定の範囲内で、患者支持装置１０、または上側フレーム２４および／もしくはフットデッキ部３４の変位を防ぐような実施形態であってもよい。
【００４９】
図１９を参照すると、工程３０２で、排尿バッグ９４が検出されたかどうかの判定が行われる。介護者が排尿バッグ９４の検出を手動で行うような実施形態であってもよい。この場合は、介護者が排尿バッグ９４を排尿バッグ支持体９２上に置くので、介護者は排尿バッグ９４がベッド１０に取り付けられていることを把握している。あるいは、介護者が、ボタン１０６を押して、対し、排尿バッグ９４が排尿バッグ支持体９２上に取り付けられていることを制御回路１４０に示してもよい。ボタン１０６を押してロックアウトモードをアクティブにすると、制御回路１４０に排尿バッグ９４の存在を通知する視覚的インジケータとしてライト１０８をアクティブにしてもよい。センサー１０４が排尿バッグ９４を検出し、制御回路１４０に信号を送信してロックアウトモードをアクティブにするような実施形態も可能である。このような実施形態では、上述のように、ライトなどの適当なインジケータを点灯させてもよい。リモートコンピュータ１７６から送られたり、インターフェイス６６上で入力された、患者が排尿バッグ９４を必要としていることを示す情報に基づいて該当患者のベッド１０を自動的にロックアウトモードにするような実施形態も可能である。
【００５０】
排尿バッグ９４が検出されない場合には、工程３０４で、インターフェイス６６が、介護者に排尿バッグの存在を確認するように警告を出すことができる。そのような場合は、介護者が工程３０６で、排尿バッグ９４の存在を手動で確認することができる。排尿バッグ９４が存在することを確認したら、介護者は、ボタン１０６および／またはインターフェイス６６を操作して、排尿バッグ９４が存在していることを証明する。排尿バッグ９４の検出を行わない実施形態では、工程３０８で、介護者が患者のカルテを調べて、排尿バッグ９４が必要であるかどうかを確認し、かつ／またはベッド１０操作を通常どおりに進める。
【００５１】
介護者が排尿バッグ９４の存在を検出および／または確認する場合、制御回路１４０は、工程３１０で、ベッドに対してロックアウトモードの設定またはアクティブ化を行う。ロックアウトモードのときにベッド動作機能の操作を防止または制限するように制御回路をプログムする実施形態も可能である。あるいは、または加えて、ロックアウトモードのときに、機械的ロックによって、ベッド１０の部分的な変位を物理的に防止または制限してもよい。ロックアウトモードの場合、上側フレーム２４がベースフレーム２０に対して変位するのを防止または制限することができる。ロックアウトモードによって、上側フレーム２４の下降が防止される実施形態であってもよい。あるいは、ロックアウトモードでは、上側フレーム２４の下降はできないが、上昇はできるような形態であってもよい。ロックアウトモードによって、上側フレーム２４が傾斜して上側フレーム２４のフットエンド１２が上側フレームのヘッドエンド１４より低くなる（例えば、逆トレンデレンブルグ位まで、またはその方向に変位する）のを防止する実施形態も可能である。
【００５２】
また、ロックアウトモードによって、フットデッキ部３４、すなわち、フットデッキ部３４のフットエンド１２の変位を防ぐこともできる。ロックアウトモードが、上側フレーム２４に対して所定の角度を超えるようなフットデッキ部３４の下降を禁止する実施形態も可能である。あるいは、ロックアウトモードでは、フットデッキ部３４の下降はできないが、上昇はできるような形態であってもよい。ロックアウトモードでは、フットデッキ部３４を所定の角度まで降下させることはできるが所定の角度より低くはできない形態であってもよい。いくつかの実施形態では、フットデッキ部３４と上側フレーム２４との所定の角度を約１２度と定めるかもしれない。
【００５３】
ロックアウトモードをアクティブにするには、複数の方法が考えられる。後で詳述するように、例えば、介護者が手動でロックアウトモードに設定してもよい。インターフェイス６６上の警告、および／または排尿バッグ支持体９２近傍に設けた図１７および図１８に示すような警告９１を介して、ロックアウトモードに設定することを介護者が思い出せるようにしてもよい。センサー１０４が排尿バッグ支持体９２上に排尿バッグ９４が存在することを検出する場合は、センサー１０４が、ロックアウトモードをアクティブにするよう制御回路１４０に通知してもよい。介護者がボタン１０６を操作する場合は、このボタン１０６によって信号を制御回路１４０に送信して、ロックアウトモードをアクティブにしてもよい。
【００５４】
ロックアウトモードを手動でアクティブにする場合は、介護者が図８に示すグラフィカルユーザーインターフェイス６６の上位メニュー構成の［設定］ソフトキー２４０を選択することによって、インターフェイス６６を使用する。ソフトボタン２４０が選択されると、それに応答して、図９の設定画面がインターフェイス６６上に表示される。図９の設定画面は、ベッド１０の設定を調整するさまざまなソフトキーを含む設定メニューを有する。［フォーリーロック］ソフトキー４００を選択すると、図１０および図１１に示すような［フォーリーロック］画面になる。この画面で、ユーザーは、ロックアウトモードをユーザーの裁量によって手動でアクティブにすることも非アクティブにすることもできる。図１０および図１１に、［フォーリーロック］画面４０１、４０３の例を示す。画面４０１、４０３はそれぞれ、［入］ソフトキー４０２、［切］ソフトキー４０４、および［承諾］キー４０７を備える。［入］ソフトキー４０２を選択してから［承諾］キー４０７を選択して、ロックアウトモードを手動でアクティブにすると、排尿バッグ９４が、床に接触する望ましくない位置に変位するのを防げる。逆に、［切］ソフトキー４０４を選択してから［承諾］キー４０７を選択して、ロックアウトモードを非アクティブにすると、通常の操作に従ってベッドを変位させることが可能となる。ロックアウトモードが非アクティブの場合にユーザーがベッド１０の上側フレーム２４および／またはベッド１０のフットデッキ部３４を降下させようとすると、図１２に示すような警告画面４０５をインターフェイス６６上に表示して、ロックアウトモードがアクティブ化されていないことを介護者に知らせる。図示した例では、警告画面４０５は、ユーザーが所望によりロックアウトモードをアクティブにすることができるキー４０２、４０４、４０７を備えている。
【００５５】
ここで図１３を参照する。フットデッキ部３４が所定の角度より下方（すなわち、フットデッキ部３４がロッククアウトモードの使用許容範囲外）にあるときに、介護者がロックアウトモードをアクティブにしようとすると、警告画面４２０がインターフェイス６６上に表示される。警告画面４２０は介護者に、ロックアウトモードを設定する前に、フットデッキ部３４を適切な角度まで上げる（すなわち、所定の角度より高くする）よう指示する。なお、警告画面４２０には、ベッド１０に設置した何らかの排尿バッグ９４がすでに床に接触している可能性のあることを介護者に想起させる役割もあることに留意されたい。排尿バッグ支持体９２に排尿バッグ９４を取り付ける前に、介護者がロックアウトモードに設定する実施形態であってもよい。警告画面４２０によって、排尿バッグ９４が床に接触することのないようにフットデッキ部３４が適切に位置決めされる。
【００５６】
図１４に示す警告画面４３０は、上側フレーム２４が下降位または非水平位にあるときに、介護者がロックアウトモードをアクティブにしようとした場合にインターフェイス６６上に表示される画面であり、介護者に、上側フレーム２４を水平し、上げてからロックアウトモードをアクティブにするよう指図している。なお、警告画面４３０には、ベッド１０に設置した何らかの排尿バッグ９４がすでに床に接触している可能性のあることを介護者に想起させる役割もあることに留意されたい。排尿バッグ支持体９２に排尿バッグ９４を取り付ける前に、介護者がロックアウトモードに設定する実施形態であってもよい。警告画面４３０によって、排尿バッグ９４が床に接触することのないように上側フレーム２４が適切に位置決めされる。
【００５７】
インターフェイス６６上で警告画面４２０、４３０を受信する条件が満たされた場合に、介護者は、警告画面４２０、４３０の両方を受信することもある。ベッド１０がすでに適切に位置決めされてロックアウトモードをアクティブにすることができる状態にある場合には、介護者は警告画面４２０、４３０のいずれも受信しない。ベッド１０の状態をコンピュータデバイス１７６に送信する実施形態も可能である。その場合、ベッドの状態を監視し記録してもよい。例えば、ベッド１０のセットアップ中に受信した警告画面４２０、４３０をコンピュータデバイス１７６に通知してもよい。また、ロックアウトモードの状態（すなわち、ロックアウトモードがアクティブになっているか非アクティブになっているか）、ならびにアクティブ化および非アクティブ化されている時間をコンピュータデバイス１７６に通知してもよい。したがって、介護者などコンピュータデバイス１７６近傍の所にいる人はベッド１０の状態を監視することができる。いくつかの実施形態では、警告画面４２０、４３０をソフトキー４２１の選択によって閉じてもよい。
【００５８】
再び図１９を参照すると、介護者は、工程３１２でコマンドを入力してベッド１０またはその一部分を動かすことができる。ロックアウトモードが設定されている場合、制御回路１４０は工程３１４で、ロックアウトモードにより規定され上述した上側フレームの変位制限に反して、上側フレーム２４を動かすようコマンドよって指図されているかどうかを判定する。上側フレームの動きが上側フレーム２４の変位制限に反している場合、制御回路は、工程３１６でベッド１０の動作を終了させる。ベッドの動きが、上側フレーム２４の変位制限に反していない場合、制御回路１４０は、工程３１８でベッド１０の動きがフットデッキ部３４の変位制限に反しているかどうかを判定する。ベッド１０の動きが、フットデッキ部３４の変位制限に反している場合、制御回路１４０は、工程３１６でベッドの動作を終了させる。
【００５９】
ベッド１０の動きが、フットデッキ部３４の変位制限に反していない場合、制御回路は、工程３２０でベッド１０を動かせるようにする。なお、工程３１４、３１８はどのような順序で行ってもよく、また同時に行ってもよい。さらに、ロックアウトモードが設定されているときに、制御回路は、フットデッキ部３４および上側フレーム２４の一方の動きを制限し、もう一方を動作可能とする実施形態であってもよい。例えば、制御回路１４０は、上側フレーム２４の動きを禁止し、フットデッキ部３４を動作可能としてもよい。同様に、フットデッキ部３４の動きを禁止し、上側フレーム２４を動作可能としてもよい。
【００６０】
工程３１２で、ベッド１０を動かすコマンドを入力すると、介護者はロックアウトモードの状態に関する警告を受信することができる。図１５を参照すると、ロックアウトモードがアクティブになっている場合には、インターフェイス６６上に警告画面４４０を表示して、ベッド１０の動きが制限また限定されていることを知らせることができる。介護者は、警告画面４４０を受信した後、排尿バッグ９４を外してから［切］ソフトキー４４２を選択することによって、ロックアウトモードをオフにすることができる。いくつかの実施形態では、介護者が［閉じる］ソフトキー４４４を選択して警告画面４４０を閉じてもよい。介護者は、ロックアウトモードが設定されている場合、ベッド１０を動かさない選択をすることもできる。あるいは、ロックアウトモードによって提供されるパラメータの範囲内で、ベッド１０を動かす選択をすることもできる。例えば、上側フレーム２４をさげることなく、かつ／またはフットデッキ部３４を所定の角度より下げることなく、引き続きベッド１０を動かすことができる。
【００６１】
図１６を参照すると、ロックアウトモードがアクティブでない場合は、インターフェイス６６上に警告画面４５０を表示して、ロックアウトモードがアクティブでないことを知らせることができる。介護者は［閉じる］ソフトキー４５２を選択して、警告を閉じることができる。介護者は警告画面４５０を受信したら、排尿バッグ９４が存在するかどうかを確認することができる。排尿バッグ９４が存在しない場合は、介護者は予定どおりにベッド１０の操作を続行することができる。排尿バッグ９４が存在する場合は、排尿バッグ９４を外してからベッド１０の操作を行うこともできるし、インターフェイス６６を使用するなど、記載されているロックアウトモード設定方法を使用してロックアウトモードの設定を行うこともできる。いくつかの実施形態では、その後、ユーザーがロックアウトモードの制約範囲内でベッド１０を操作することもできる。
【００６２】
なお、実施形態によっては、ベッド１０の操作、ロックアウトモードの使用、ロックアウトモードのアクティブ状態への変更、インターフェイス６６の使用、およびベッド１０の他の関連する構成要素の使用などについて、ベッド１０がコンピュータデバイス１７６に報告し、ベッド１０の操作をコンピュータデバイス１７６で監視し、かつ／またはベッド１０の操作に関するデータをコンピュータデバイス１７６のメモリーに格納することができることに留意されたい。
【００６３】
本開示は、特定の実施形態について説明しているが、当業者であれば、添付の特許請求の範囲において規定する主題を逸脱することなく、形態および詳細に関してさまざまな変更がなされ得ることを理解するであろう。
【図１】
2018108356.tif 000003
【図２】
2018108356.tif 000004
【図３】
2018108356.tif 000005
【図４】
2018108356.tif 000006
【図５】
2018108356.tif 000007
【図６】
2018108356.tif 000008
【図７】
2018108356.tif 000009
【図８】
2018108356.tif 000010
【図９】
2018108356.tif 000011
【図１０】
2018108356.tif 000012
【図１１】
2018108356.tif 000013
【図１２】
2018108356.tif 000014
【図１３】
2018108356.tif 000015
【図１４】
2018108356.tif 000016
【図１５】
2018108356.tif 000017
【図１６】
2018108356.tif 000018
【図１７】
2018108356.tif 000019
【図１８】
2018108356.tif 000020
【図１９】
2018108356.tif 000021
【外国語明細書】
2018108356000001.pdf